(57)【要約】      （修正有）【課題】加熱した食品の喫食時に手を汚すことなく、容易に喫食を行うことができる食品包装用袋を提供する。【解決手段】正面シート部５及び背面シート部を有し、正面シート部５と背面シート部との間の空間に食品を収容するための食品収容部４が設けられている袋部１０と、袋部１０の上端部１０ａと下端部１０ｂとを接続する一対の側縁１０ｃのうち一方又は両方の側縁１０ｃに形成された耳部切欠部７と、を備え、耳部切欠部７は、上端部１０ａから下端部１０ｂに向かう方向において袋部１０の中央又は袋部１０の中央よりも上端部１０ａ側に形成されるよう構成する。【選択図】図１
0003195112.tif 000002
【実用新案登録請求の範囲】
【請求項１】
正面シート部及び背面シート部を有し、前記正面シート部と前記背面シート部との間の空間に食品を収容するための食品収容部が設けられている袋部と、
前記袋部の一方の端部と他方の端部とを接続する一対の側縁のうち一方又は両方の側縁に形成された耳部切欠部と、を備え、
前記耳部切欠部は、一方の端部から他方の端部に向かう方向において前記袋部の中央又は前記袋部の中央よりも一方の端部側に形成されている、食品包装用袋。
【請求項２】
前記耳部切欠部は、前記袋部の一方の端部から前記袋部の他方の端部側に前記袋部の一方の端部から他方の端部までの寸法の１／３以上離れた位置に形成されている、請求項１に記載の食品包装用袋。
【請求項３】
正面シート部又は背面シート部から突出し、前記一対の側縁を接続して延在する舌部を有する、請求項１又は２に記載の食品包装用袋。
【請求項４】
前記舌部は、フィルム材料の一端部と他端部とを重ね合わせて溶着して形成され、前記フィルム材料の前記一端部と前記他端部とを接続する一対の側端部を閉鎖するように溶着した耳部を有する、請求項３に記載の食品包装用袋。
【請求項５】
前記舌部は、袋部の一方の端部から他方の端部に向かう方向における中間部分に形成されている、請求項３又は４に記載の食品包装用袋。
【請求項６】
前記食品は、棒状に形成されている、請求項１乃至５の何れかに記載の食品包装用袋。
【請求項７】
第１正面シート部及び第１背面シート部を有し、前記第１正面シート部と前記第１背面シート部との間の空間に食品を収容するための第１食品収容部が設けられている第１袋部と、前記第１袋部の一方の端部と他方の端部とを接続する一対の側縁のうち一方又は両方の側縁に形成された第１耳部切欠部と、を備え、前記耳部切欠部は、一方の端部から他方の端部に向かう方向において前記第１袋部の中央よりも上端側に形成されている、第１食品包装用袋と、
第２正面シート部及び第２背面シート部を有し、前記第２正面シート部と前記第２背面シート部との間の空間に食品を収容するための第２食品収容部が設けられている第２袋部と、前記第２袋部の一方の端部と他方の端部とを接続する一対の側縁のうち一方又は両方の側縁に形成された第２耳部切欠部と、を備え、前記第２耳部切欠部は、一方の端部から他方の端部に向かう方向において前記第２袋部の中央よりも上端側に形成されている、第２食品包装用袋と、を含み、
前記第１食品包装用袋と、前記第２食品包装用袋とが連なっている、食品包装用袋セット。
【考案の詳細な説明】
【技術分野】
【０００１】
本考案は、食品を包装するために用いる食品包装用袋に関する。
【背景技術】
【０００２】
従来から肉製品の電子レンジ調理用袋が知られている（例えば特許文献１参照）。
【０００３】
この肉製品の電子レンジ調理用袋は、熱融着部を有する複合プラスチック製のフイルムを備えている。そして、熱融着部の端縁線の全部又は一部に、微細な肉眼では判別困難な傷痕が密集して設けられている。これによって、加熱後容易に開封することができ、直ちに食卓に供することができる。
【先行技術文献】
【特許文献】
【０００４】
【特許文献１】実開平４―３５５７７号公報
【考案の概要】
【考案が解決しようとする課題】
【０００５】
しかし、特許文献１に記載の肉製品の電子レンジ調理用袋は、電子レンジで加熱すると、内容物が高温になり、調理用袋を把持して携帯することが困難になるという問題があった。
【課題を解決するための手段】
【０００６】
上記課題を解決するため、本考案のある態様に係る食品包装用袋は、正面シート部及び背面シート部を有し、前記正面シート部と前記背面シート部との間の空間に食品を収容するための食品収容部が設けられている袋部と、前記袋部の一方の端部と他方の端部とを接続する一対の側縁のうち一方又は両方の側縁に形成された耳部切欠部と、を備え、前記耳部切欠部は、一方の端部から他方の端部に向かう方向において前記袋部の中央又は前記袋部の中央よりも一方の端部側に形成されている。
【０００７】
この構成によれば、耳部切欠部から食品包装用袋を引き裂いて、一方の部分を他方の部分に挿し込むことができる。これによって、食品包装用袋に加熱された食品が収容されている場合においても、食品包装用袋を素手で把持して、食品を食品包装用袋から直接口に運ぶことができる。したがって、加熱した食品の喫食時に手を汚すことなく、容易に喫食を行うことができる。
【０００８】
前記耳部切欠部は、前記袋部の一方の端部から前記袋部の他方の端部側に前記袋部の一方の端部から他方の端部までの寸法の１／３以上離れた位置に形成されていてもよい。
【０００９】
この構成によれば、耳部切欠部から食品包装用袋を引き裂いて、一方の部分を他方の部分に好適に挿し込むことができる。
【００１０】
正面シート部又は背面シート部から突出し、前記一対の側縁を接続して延在する舌部を有していてもよい。
【００１１】
この構成によれば、食品包装用袋を容易に引き裂くことができる。
【００１２】
前記舌部は、フィルム材料の一端部と他端部とを重ね合わせて溶着して形成され、前記フィルム材料の前記一端部と前記他端部とを接続する一対の側端部を閉鎖するように溶着した耳部を有していてもよい。
【００１３】
この構成によれば、食品包装用袋の構成を簡素なものとすることができる。よって、製造に有利、且つ製造コストも安価となる。
【００１４】
前記舌部は、袋部の一方の端部から他方の端部に向かう方向における中間部分に形成されていてもよい。
【００１５】
この構成によれば、袋部内に溜まった蒸気を効率よく抜くことができる。
【００１６】
前記食品は、棒状に形成されていてもよい。
【００１７】
この構成によれば、食品包装用袋に収容された食品を好適に喫食することができる。
【００１８】
上記課題を解決するため、本考案の他の態様に係る食品包装用袋セットは、第１正面シート部及び第１背面シート部を有し、前記第１正面シート部と前記第１背面シート部との間の空間に食品を収容するための第１食品収容部が設けられている第１袋部と、前記第１袋部の一方の端部と他方の端部とを接続する一対の側縁のうち一方又は両方の側縁に形成された第１耳部切欠部と、を備え、前記耳部切欠部は、一方の端部から他方の端部に向かう方向において前記第１袋部の中央よりも上端側に形成されている、第１食品包装用袋と、第２正面シート部及び第２背面シート部を有し、前記第２正面シート部と前記第２背面シート部との間の空間に食品を収容するための第２食品収容部が設けられている第２袋部と、前記第２袋部の一方の端部と他方の端部とを接続する一対の側縁のうち一方又は両方の側縁に形成された第２耳部切欠部と、を備え、前記第２耳部切欠部は、一方の端部から他方の端部に向かう方向において前記第２袋部の中央よりも上端側に形成されている、第２食品包装用袋と、を含み、前記第１食品包装用袋と、前記第２食品包装用袋とが連なっている。
【００１９】
この構成によれば、食品包装用袋セットを起立させることができる。これによって、陳列棚に見栄えよく食品包装用袋セットを収納することができる。
【考案の効果】
【００２０】
本考案は、加熱した食品の喫食時に手を汚すことなく、容易に喫食を行うことができるという効果を奏する。
【図面の簡単な説明】
【００２１】
【図１】本考案の実施の形態１に係る食品包装用袋の構成例を示す正面図である。
【図２】図１の食品包装用袋の構成例を示す背面図である。
【図３】図１の食品包装用袋の使用例を示す背面図である。
【図４】図１の食品包装用袋の使用例を示す正面図である。
【図５】本考案の実施の形態２に係る食品包装用袋セットの構成例を示す斜視図である。
【考案を実施するための形態】
【００２２】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
（実施の形態１）
図１は、本考案の実施の形態１に係る食品包装用袋１００の構成例を示す正面図である。図２は、食品包装用袋１００の構成例を示す背面図である。
【００２３】
図１及び図２に示すように、食品包装用袋１００は、食品Ｆを包装する袋である。本実施の形態において、食品Ｆは、棒状に形成されている食品であり、具体的にはソーセージである。なお、これに限られるものではない。そして、食品包装用袋１００は、合成樹脂製のフィルム材料で構成されている。この合成樹脂製のフィルム材料は、食品包装用袋１００に収容された食品Ｆを電子レンジで加熱したときに発生する熱によって変形しない耐熱性を有する。
【００２４】
そして、食品包装用袋１００は、袋部１０と耳部切欠部７とを備える。
【００２５】
袋部１０は、図１に示す正面シート部５及び図２に示す背面シート部６を有する。正面シート部５及び背面シート部６は、対峙して位置している。そして、正面シート部５と背面シート部６との間の空間に食品Ｆを収容するための食品収容部４が形成されている。
【００２６】
本実施の形態において、袋部１０は、以下の通り成形される。
【００２７】
まず、フィルム１の裏面同士が触れ合うように、フィルム１の一端部１ａ及び他端部１ｂを背面側に折り返して重ね合わせ、この重ね合わせた部分を溶着し、接合する。この溶着された部分が舌部２を構成している。そして、フィルム１の一端部１ａ及び他端部１ｂが溶着されることによって、袋部１０は、左右方向に延在する筒状に形成される。
【００２８】
次に、この筒状に形成されたフィルム１を扁平し、フィルム１の一端部１ａと他端部１ｂとを接続する一対の側端部１ｃを閉鎖するように溶着し、接合する。この溶着された部分が一対の耳部３を構成している。なお、上述の通り、本実施の形態において、舌部２及び耳部３は、フィルム１を溶着することにより形成しているが、これに限られるものではない。これに代えて、例えば、舌部２及び耳部３は、接着剤を用いて接着して形成してもよい。
【００２９】
したがって、扁平に形成された袋部１０の一方の面が正面シート部５を構成し、他方の面が背面シート部６を構成する。そして、正面シート部５と背面シート部６との間の空間が食品収容部４を構成する。したがって、食品収容部４は、周囲を袋部１０によって覆われた閉鎖空間となっている。また、袋部１０の一方の端部が上端部１０ａを構成し、他方の端部が下端部１０ｂを構成する。したがって、食品包装用袋１００の構成を簡素なものとすることができる。よって、製造に有利、且つ製造コストも安価となる。
【００３０】
なお、以下では、説明の便宜上、上端部１０ａから下端部１０ｂに向かう方向及びその反対方向を上下方向という。また、袋部１０の延在面において、上下方向と直交する方向を左右方向という。
【００３１】
そして、舌部２は、背面シート部６から突出し、袋部１０の上端部１０ａと下端部１０ｂとを接続する一対の側縁１０ｃを接続して延在している。したがって、舌部２は、左右方向に延在し、一対の耳部３を接続して延在している。そして、舌部２は、背面シート部６（袋部１０）の上下方向（一方の端部から他方の端部に向かう方向）における中間部分に形成されている。また、耳部３は、上下方向に延在している。
【００３２】
このように食品包装用袋１００が形成され、袋部１０は、正面から見て扁平な長方形状に形成されている。
【００３３】
耳部切欠部７は、食品包装用袋１００を左右方向に引き裂くための切り欠きである。耳部切欠部７は、袋部１０の上端部１０ａと下端部１０ｂとを接続する一対の側縁１０ｃのうち何れか一方又は両方の側縁１０ｃに形成されている。すなわち、耳部切欠部７は、一対の耳部３のうち何れか一方又は両方の耳部３に形成されている。また、耳部切欠部７は、上下方向において、袋部１０の中央又は袋部１０の中央よりも袋部１０の上端部１０ａ側に形成されている。更に、耳部切欠部７は、袋部１０の上端部１０ａから下端部１０ｂ側に袋部１０の上端部１０ａから下端部１０ｂまでの寸法の１／３以上離れた位置に形成されている。また、耳部切欠部７は、上下方向において、食品Ｆの上端よりも袋部１０の上端部１０ａ側に形成されている。
【００３４】
本実施の形態において、耳部切欠部７は、耳部３の外側の縁をＶ字状に切り欠いた部分であり、耳部３の外側の縁から内側に向かうにしたがって幅が狭くなるように構成されている。なお、耳部切欠部７の形状は、Ｖ字状に限られるものではない。例えば、これに代えて、Ｕ字状に切り欠いてもよい。このように、耳部切欠部７は、耳部３の縁を切り欠いた部分であるので、使用者は、食品包装用袋１００のどの部分を切り裂けばよいのかを容易に認識することができる。
【００３５】
また、食品包装用袋１００は、舌部切断部８を更に備える。舌部切断部８は、舌部２をその幅方向（上下方向）に引き裂くための切り口であり、舌部２を切断することによって蒸気抜き口１１（図３参照）を形成するためのものである。舌部切断部８は、例えば、フィルム１の一端部１ａ及び他端部１ｂ、すなわち、舌部２の左右方向に延在する側縁に形成された多数の微小な孔又は切れ込みである。また、舌部切断部８は、舌部２の側縁の全域に亘って形成されている。これによって、舌部２の任意の場所を両手で摘み、摘んだ部分を引き離すように引っ張ることによって、舌部２をその幅方向に引き裂くことができる。なお、舌部切断部８は上記構成に限られるものではなく、舌部２に形成された切欠きであってもよい。また、舌部切断部８に代えて、電子レンジによって食品包装用袋１００を加熱した際、袋部１０の内部の蒸気の圧力によって袋部１０に孔が形成されるように構成されていてもよい。
【００３６】
［使用例］
次に、食品包装用袋１００の使用例を説明する。
【００３７】
図３は、食品包装用袋１００の使用例を示す背面図である。図４は、食品包装用袋１００の使用例を示す正面図である。
【００３８】
本使用例は、食品包装用袋１００に収容された食品Ｆを電子レンジで加熱し、食品包装用袋１００から食品Ｆを取り出して喫食する使用例である。
【００３９】
まず、図３に示すように舌部２の舌部切断部８の右側及び左側を両手で摘み、引っ張る。これによって、舌部切断部８から舌部２及び背面シート部６が引き裂かれ、蒸気抜き口１１が形成される。
【００４０】
次に、背面シート部６が上方を向くように食品包装用袋１００を電子レンジに格納し、所定時間加熱する。上述の通り、舌部２は、背面シート部６の上下方向における中間部分に形成されているので、加熱することによって、袋部１０内に水蒸気が溜まり袋部１０が膨らむと、上方に向いた蒸気抜き口１１が大きく開き、蒸気抜き口１１を介して袋部１０内に溜まった水蒸気を効率よく逃がすことができる。よって、加熱中に袋部１０に水蒸気が充満し、食品包装用袋１００が破裂することを防止することができる。そして、加熱が完了すると、電子レンジから食品包装用袋１００を取り出す。
【００４１】
次に、一対の耳部３のうち、何れか一方の耳部３の耳部切欠部７の上側及び下側を両手で把持し、一方を引っ張る。これによって、耳部切欠部７から左右方向に延在する仮想の切断線Ｌ（図１参照）に沿って一対の耳部３及び袋部１０が引き裂かれる。
【００４２】
ところで、舌部２が位置している部分は、正面シート部５及び背面シート部６に加え、フィルム１の一端部１ａ及び他端部１ｂが重なっている部分であるので、この部分を引き裂こうとする場合、強い力が必要であり、また、無理に引き裂こうとすると、意図する方向と違う方向に切れたりすることがある。しかし、本実施の形態において、舌部２は、左右方向に延在しているので、食品包装用袋１００を引き裂く方向、すなわち切断線Ｌと平行に延在している。よって、食品包装用袋１００を引き裂くときに、舌部２を横断しないようになっている。したがって、食品包装用袋１００を容易に引き裂くことができる。
【００４３】
また、耳部切欠部７は、上下方向において、食品Ｆの上端よりも袋部１０の上端部１０ａ側に形成されているので、袋部１０を引き裂くときに食品Ｆが正面シート部５又は背面シート部６にあたり、作業の邪魔になることを防止することができる。
【００４４】
そして、図４に示すように、食品包装用袋１００を引き裂くことによって、食品包装用袋１００は、食品Ｆが収容されている下側部１２と、上側部１３とに分離される。これによって、下側部１２の上端に開口１２ａが形成され、上側部１３の下端に開口１３ａが形成される。下側部１２の開口１２ａは、後述するとおり、食品Ｆの取り出し口を構成する。
【００４５】
次に、上側部１３の開口１３ａが上を向くように上下反転させる。そして、下側部１２の耳部３を内側に折り返し、上側部１３の開口１３ａを介して、下側部１２の下部を上側部１３に挿し込む。このとき、上述のとおり、耳部切欠部７は、上下方向において、袋部１０の中央又は袋部１０の中央よりも袋部１０の上端部１０ａ側に形成されているので、上側部１３の開口１３ａは、下側部１２の開口１２ａより下方に位置するようになっている。
【００４６】
次に、下側部１２の下部が差し込まれた上側部１３を把持し、例えば、食品Ｆを下側部１２の開口１２ａから絞り出す。このとき、下側部１２の下部は、上側部１３に挿し込まれているので、正面シート部５及び背面シート部６が少なくとも２重になっており、加熱された食品Ｆから食品包装用袋１００を把持する手に伝わる熱を少なくすることができる。そして、食品Ｆは、棒状に形成されているソーセージであるので、正面シート部５及び背面シート部６が少なくとも２重になっている部分を把持したまま、食品Ｆの上端部を下側部１２の開口１２ａから露出させることができる。また、上述のとおり、耳部切欠部７は、袋部１０の上端部１０ａから下端部１０ｂ側に袋部１０の上端部１０ａから下端部１０ｂまでの寸法の１／３以上離れた位置に形成されているので、下側部１２の下部を上側部１３に深く挿し込むことができ、正面シート部５及び背面シート部６が少なくとも２重になっている部分を容易に把持することができる。
【００４７】
そして、下側部１２の開口１２ａから絞り出した食品Ｆの上端部を口に運び、口に含めて食品Ｆを下側部１２から引き出すことによって喫食することができる。上述のとおり、上側部１３の開口１３ａは、下側部１２の開口１２ａより下方に位置するようになっているので、下側部１２の開口１２ａから絞り出した食品Ｆを口に運ぶときに、上側部１３の開口１３ａが邪魔にならないようになっている。このように、切り取った上側部１３に下側部１２を差し込むことによって、加熱された食品Ｆが収容された食品包装用袋１００を素手で把持することができるので、食品Ｆを例えば皿に移し替える必要がなく、加熱された食品Ｆを食品包装用袋１００から直接口に運ぶことができる。
【００４８】
以上に説明したように、本考案の食品包装用袋１００は、耳部切欠部７が上下方向において袋部１０の中央よりも袋部１０の上端部１０ａ側に形成されているので、耳部切欠部７から左右方向に食品包装用袋１００を引き裂いて、上側部１３と下側部１２とに分離し、下側部１２を上側部１３に挿し込むことができる。これによって、食品包装用袋１００に加熱された食品Ｆが収容されている場合においても、食品包装用袋１００を素手で把持して、食品Ｆを食品包装用袋１００から直接口に運ぶことができる。したがって、加熱した食品Ｆの喫食を容易に行うことができる。また、これらは加熱した食品の一例を示したに過ぎず、種々の食品（例えば、調味液に浸した食品）であっても、手を汚すことなく、喫食を容易に行うことが可能となる。
【００４９】
（実施の形態２）
図５は、本考案の実施の形態２に係る食品包装用袋セット２００の構成例を示す斜視図である。
【００５０】
食品包装用袋セット２００は、第１食品包装用袋２２０及び第２食品包装用袋２２１を含む。
【００５１】
第１食品包装用袋２２０及び第２食品包装用袋２２１は、それぞれ上記実施の形態１に係る食品包装用袋１００と同様の構成である。以下では、実施の形態１の舌部２、耳部３、食品収容部４、正面シート部５、背面シート部６、耳部切欠部７、舌部切断部８、袋部１０に相当する第１食品包装用袋２２０の構成は、それぞれ、第１舌部、第１耳部２０３Ａ、第１食品収容部、第１正面シート部、第１背面シート部、第１耳部切欠部２０７Ａ、第１舌部切断部、第１袋部２１０Ａという。また、実施の形態１の舌部２、耳部３、食品収容部４、正面シート部５、背面シート部６、耳部切欠部７、舌部切断部８、袋部１０に相当する第２食品包装用袋２２１の構成は、それぞれ、第２舌部、第２耳部２０３Ｂ、第２食品収容部、第２正面シート部、第２背面シート部、第２耳部切欠部２０７Ｂ、第２舌部切断部、第２袋部２１０Ｂという。
【００５２】
そして、第１食品包装用袋２２０及び第２食品包装用袋２２１は連なって構成されている。すなわち、第１食品包装用袋２２０の一対の第１耳部２０３Ａのうち一方側の第１耳部２０３Ａは、第２食品包装用袋２２１の一対の第２耳部２０３Ｂのうち一方側の第２耳部２０３Ｂに連なっている。
【００５３】
したがって、第１食品包装用袋２２０と第２食品包装用袋２２１との境界Ｂに沿って食品包装用袋セット２００を折り曲げることによって食品包装用袋セット２００の第１袋部２１０Ａ及び第２袋部２１０Ｂの下端部を接地させて、食品包装用袋セット２００を起立させることができる。これによって、陳列棚に見栄えよく食品包装用袋セット２００を収納することができる。
【００５４】
なお、本実施の形態において、食品包装用袋セット２００は、食品包装用袋が二つ連なった形態を例示したが、これに限られるものではない。これに代えて、３つ又はこれ以上の数の食品包装用袋が連なるように構成してもよい。
【００５５】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００５６】
本件考案は、食品等の包材に適用することができる。
【符号の説明】
【００５７】
１  フィルム
１ａ  （フィルムの）一端部
１ｂ  （フィルムの）他端部
１ｃ  （フィルムの）側端部
２  舌部
３  耳部
４  食品収容部
５  正面シート部
６  背面シート部
７  耳部切欠部
８  舌部切断部
１０  袋部
１０ａ  （袋部の）上端部
１０ｂ  （袋部の）下端部
１０ｃ  （袋部の）側縁
１１  蒸気抜き口
１２  下側部
１２ａ  （下側部の）開口
１３  上側部
１３ａ  （上側部の）開口
１００  食品包装用袋
【図１】
0003195112.tif 000003
【図２】
0003195112.tif 000004
【図３】
0003195112.tif 000005
【図４】
0003195112.tif 000006
【図５】
0003195112.tif 000007